(57)【特許請求の範囲】
【請求項１】
１つ又は複数のソースユニット（２）上に存在するデータを記憶ユニット（６）に格納し、無線通信チャネルの歪み効果によって引き起こされる送信エラーを低減することを可能にする無線通信及びデータ記憶方法（１）において、
システム情報（１０１）を用いて、少なくとも１つのソースユニット（２）に存在するデータを、ソースユニット（２）内の少なくとも１つの負荷分散データパッカー（３）でデータパケットに分割するステップと、
前に定義された成功基準に従って負荷分散データパッカー（３）を介して、ソースユニット（２）内の少なくとも１つの無線通信インターフェース（４）にデータパケットを配信するステップと、
ソースユニット（２）内の無線通信インターフェース（４）を介して、ブロードキャストフェーズ（Ｂ）において少なくとも１つの中継ユニット（５）及び少なくとも１つの記憶ユニット（６）にデータパケットを無線送信するステップと、
中継ユニット（５）において前記少なくとも１つの無線通信インターフェース（４）を介して前記データパケットを前記中継ユニット（５）に取り出すステップと、
中継ユニット（５）でデータパケットを検出するステップと、
ネットワークトポロジ情報（１０２）に従って中継ユニット（５）においてネットワーク符号化が実現されるか否かを決定するステップと、
ネットワーク符号化を実現することが決定された場合、検出されたデータパケットを中継ユニット（５）内のネットワーク符号化ユニット（５．１）でアンパックし、ネットワークトポロジ情報（１０２）を用いて、アンパックされたデータを符号化してマージし、その後、当該データを中継ユニット（５）内の負荷分散データパッカー（３）に送信するステップと、
ネットワーク符号化を実現しないと決定された場合、検出されたデータパケットをアンパックし、送信技術を用いて中継ユニット（５）内の負荷分散データパッカー（３）に送信するステップと、
システム情報（１０１）を用いて、前記中継ユニット（５）に存在する負荷分散データパッカー（３）において、ネットワーク符号化され、もしくは送信技術を用いてデータパケットに送信されるデータを分割するステップと、
前に定義された成功基準に従って負荷分散データパッカー（３）を介して、中継ユニット（５）内の少なくとも１つの無線通信インターフェース（４）にデータパケットを配信するステップと、
中継ユニット（５）内の無線通信インターフェース（４）を介して、前記データパケットを中継フェーズ（Ｒ）における前記記憶ユニット（６）に無線送信するステップと、
記憶ユニット（６）に存在する少なくとも１つの無線通信インターフェース（４）を介して、ブロードキャストフェーズ（Ｂ）及び中継フェーズ（Ｒ）で送信されたデータパケットを記憶ユニット（６）に書き込むステップと、
前記記憶ユニット（６）に存在する少なくとも１つのネットワーク復号化ユニット（６．１）によって両方のフェーズから到来するデータパケットを復号化するステップと、
復号化されたデータを記憶ユニット（６）にマージするステップと、
前記記憶ユニット（６）に存在する少なくとも１つのデータ記憶ユニット（６．２）に前記マージされたデータを記憶するステップとを含むことを特徴とする無線通信及びデータ記憶方法（１）。
【請求項２】
前記記憶ユニット（６）は、互いに独立した位置に分散して存在することを特徴とする請求項１に記載の無線通信及びデータ記憶方法（１）。
【請求項３】
伝送チャネルの伝送品質に応じてアンパックされたデータを記憶ユニット（６）にマージすることを特徴とする請求項１に記載の無線通信及びデータ記憶方法（１）。
【請求項４】
同一又は異なる無線通信規格は、
前記ソースユニット（２）と、前記中継ユニット（５）と、前記記憶ユニット（６）とのうちの少なくとも１つにおける、無線通信インターフェース（４）上で利用されることを特徴とする請求項１に記載の無線通信及びデータ記憶方法（１）。
【請求項５】
前記ソースユニット（２）における前記負荷分散データパッカー（３）でパケットに分離されたデータのパケットサイズは、前記ソースユニット（２）における前記無線通信インターフェース（４）のパラメータと、チャネルの伝送品質及びデータ伝送レートと、前記ソースユニット（２）における無線通信インターフェース（４）の現在の負荷レベルとに従って決定されることを特徴とする請求項１に記載の無線通信及びデータ記憶方法（１）。
【請求項６】
前記中継ユニット（５）における負荷分散データパッカー（３）でパケットに分離されたデータのパケットサイズは、前記中継ユニット（５）における無線通信インターフェース（４）のパラメータと、チャネルの伝送品質及びデータ伝送レートと、前記中継ユニット（５）の無線通信チャネル（４）における現在の負荷レベルとに従って決定される請求項１に記載の無線通信及びデータ記憶方法（１）。
【請求項７】
前記ソースユニット（２）における無線通信インタフェース（４）のパラメータは、前記ソースユニット（２）における負荷分散データパッカー（３）を介して設定される請求項１に記載の無線通信及びデータ記憶方法（１）。
【請求項８】
前記中継ユニット（５）における無線通信インタフェース（４）のパラメータは、前記中継ユニット（５）の負荷分散データパッカー（３）を介して設定される請求項１に記載の無線通信及びデータ記憶方法（１）。
【発明の詳細な説明】
【技術分野】
【０００１】
本発明は、ネットワーク符号化された分散無線通信及びデータ記憶方法に関する。
【背景技術】
【０００２】
今日では、デジタルデータソースを利用するデバイスの多様性が絶えず増加している。同様に、エンドユーザによるデータ共有媒体の使用頻度は同一割合で増加する。これらの急速に増加するデジタルコンテンツデータの記憶及びバックアップは重要な必要なものとなっている。無線通信技術が普及した結果、データの格納の必要性を無線で行うことができる。
【発明の概要】
【発明が解決しようとする課題】
【０００３】
現在の技術水準に存在する協調的通信及び記憶技術では、無線通信チャネルの歪み効果に対する予防措置は講じられていない。このために、システムの電力効率、スペクトル効率及び成功性能は、システムが達する可能性のある最高レベルまで上昇することができなかった。また、協調通信技術においては、標準的な伝送プロトコルを用いて複数のソースを直接的にスケーリングすることはできない。それに加えて、前記スケーリングを実現したい場合であっても、ネットワーク符号化システムの設計者がシステムを妨害するのに必要な状況が発生する可能性がある。
【０００４】
また、本発明前の技術水準に存在する協調通信技術において複数の通信インターフェースが定義されていないので、システムと異なるタイプの装置の使用が制限される可能性があり、同時に、到達する可能性のあるダイバーシティレベルの最大レベルにアクセスすることが制限される可能性がある。
【０００５】
加えて、本発明前に存在するシステムでは、無線チャネルを介した送信中の電力調整、もしくは、データ伝送レートを増加させることなどのクロスレイヤ最適化は実現できなかった。このことは、システムの柔軟性と効率を制限する。
【課題を解決するための手段】
【０００６】
本発明の実施形態では、上述した問題が解決された、協調的でネットワーク符号化された分散型無線通信及びデータ記憶方法が実現される。無線通信チャネルを介するデータ伝送が実現される。前記データは記憶ユニットに格納され、当該記憶ユニットは１つ又は複数の通信インターフェースを有して、分散して使用される。１つ又は複数のソースに存在するデータは送信されて記憶することができる。さらに、中継ユニットを使用することによって、無線通信チャネルの歪み効果によって引き起こされる送信エラーの影響を低減することができる。この目的のために、協調通信プロトコル及び／又はネットワーク符号化技術が使用される。
【０００７】
本発明の無線通信及びデータ記憶方法の例示的な実施形態では、さらに理解されるように、実施形態は添付の図面に示されている。本発明の要旨の実施形態の詳細は、明細書全体を考慮して評価する必要がある。
【図面の簡単な説明】
【０００８】
【図１】無線通信及びデータ記憶方法の実施形態の概略モデルを示す。
【図２】ソースユニットでのデータのフローチャートを示す。
【図３】中継ユニットでのデータのフローチャートを示す。
【図４】記憶ユニットにおけるデータのフローチャートを示す。
【発明を実施するための形態】
【０００９】
発明の詳細な説明
本発明の無線通信及びデータ記憶方法（１）は、協調通信プロトコル及び／又はネットワーク符号化技術を用いて、１つ又は複数の中継ユニット（５）の援助により、１つ又は複数のソースユニット（２）上に存在するデータを記憶することに関する。
【００１０】
本発明は、無線通信及びデータ記憶方法に関し、当該方法は、協調通信プロトコル及び／又はネットワーク符号化技術を用いて、中継ユニット（５）の援助によりソースユニット（２）に存在するデータを、記憶ユニット（６）に記憶し、無線通信チャネルの歪み効果によって引き起こされる伝送エラーを低減することを可能することを含む。上記方法は、
システム情報（１０１）を用いて、少なくとも１つのソースユニット（２）に存在するデータを、ソースユニット（２）内の少なくとも１つの負荷分散データパッカー（３）でデータパケットに分割するステップと、
前に定義された成功基準に従って負荷分散データパッカー（３）を介して、ソースユニット（２）内の少なくとも１つの無線通信インターフェース（４）にデータパケットを配信するステップと、
ソースユニット（２）内の無線通信インターフェース（４）を介して、ブロードキャストフェーズ（Ｂ）において少なくとも１つの中継ユニット（５）及び少なくとも１つの記憶ユニット（６）にデータパケットを無線送信するステップと、
中継ユニット（５）において前記少なくとも１つの無線通信インターフェース（４）を介して前記データパケットを前記中継ユニット（５）に取り出すステップと、
中継ユニット（５）でデータパケットを検出するステップと、
ネットワークトポロジ情報（１０２）に従って中継ユニット（５）においてネットワーク符号化が実現されるか否かを決定するステップと、
ネットワーク符号化を実現することが決定された場合、検出されたデータパケットを中継ユニット（５）内のネットワーク符号化ユニット（５．１）でアンパックし、ネットワークトポロジ情報（１０２）を用いて、アンパックされたデータを符号化してマージし、その後、当該データを中継ユニット（５）内の負荷分散データパッカー（３）に送信するステップと、
ネットワーク符号化を実現しないと決定された場合、検出されたデータパケットをアンパックし、送信技術を用いて中継ユニット（５）内の負荷分散データパッカー（３）に送信し、システム情報（１０１）を用いて、前記中継ユニット（５）に存在する負荷分散データパッカー（３）において、ネットワーク符号化され、もしくは送信技術を用いてデータパケットに送信されるデータを分割するステップと、
前に定義された成功基準に従って負荷分散データパッカー（３）を介して、中継ユニット（５）内の少なくとも１つの無線通信インターフェース（４）にデータパケットを配信するステップと、
中継ユニット（５）内の無線通信インターフェース（４）を介して、前記データパケットを中継フェーズ（Ｒ）における前記記憶ユニット（６）に無線送信するステップと、
記憶ユニット（６）に存在する少なくとも１つの無線通信インターフェース（４）を介して、ブロードキャストフェーズ（Ｂ）及び中継フェーズ（Ｒ）で送信されたデータパケットを記憶ユニット（６）に書き込むステップと、
前記記憶ユニット（６）に存在する少なくとも１つのネットワーク復号化ユニット（６．１）によって両方のフェーズから到来するデータを復号化するステップと、
復号化されたデータを記憶ユニット（６）にマージするステップと、
前記記憶ユニット（６）に存在する少なくとも１つのデータ記憶ユニット（６．２）に前記マージされたデータを記憶するステップとを含む。
【００１１】
本発明の要旨の実施形態では、無線通信及びデータ記憶方法（１）を介して、無線通信することができる１つ又は複数のソースユニット（２）に存在するデータは、格納されるためにデータを無線受信するように構成された分散型記憶ユニット（６）に送信される。
【００１２】
１つ又は複数のソースユニット（２）に存在するデータを記憶ユニット（６）に格納するために実現した通信は、ブロードキャストフェーズ（Ｂ）及び中継フェーズ（Ｒ）の２つのフェーズで完了することで、協調的な通信を提供する。まず最初に、ブロードキャストフェーズ（Ｂ）の間において、ソースユニット（２）に存在するデータは、記憶ユニット（６）及び中継ユニット（５）に同時に送信される。その後、異なるソースユニット（２）から中継ユニット（５）に送信されたデータは、中継フェーズ（Ｒ）の間に中継技術又はネットワーク符号化技術を用いて、複数の記憶ユニットに送信される。これにより、ブロードキャストフェーズ（Ｂ）中にソースユニット（２）から送信されたデータと、
中継フェーズ（Ｒ）中に中継ユニット（５）を介して送信されるデータは、記憶ユニット（６）上に存在する。その後、２つのフェーズから入力されたデータを伝送路の伝送品質に合わせてマージし、マージプロセスが続き、それらは記憶ユニット（６）に記憶される。
【００１３】
無線電話機、携帯電話機、スマートフォン、タブレット、ラップトップ又はデスクトップコンピュータ、スマートウォッチ、スマートホワイトボード、ストリーミングデバイスは、そのようなソースユニット（２）の例として挙げることができる。ソースユニット（２）は、これらの例に限定されず、無線通信する能力を有する任意のデバイスの形態であってもよい。ソースユニット（２）には、少なくとも１つの無線通信インターフェース（４）が存在する。本発明の適用における無線通信インターフェース（４）は、独自の標準（規格）を用いて形成されると同様に、（例えば、ＷｉＦｉ、Ｗｉｍａｘ、Ｂｌｕｅｔｏｏｔｈ（登録商標）、Ｚｉｇｂｅｅ、２Ｇ、ＥＤＧＥ、３Ｇ、ＨＳＰＡ、４Ｇなどの）既存の標準（規格）を用いて形成されることが可能である。１つ又は複数の無線通信インターフェース（４）は、ブロードキャストフェーズ（Ｂ）においてソースユニット（２）から記憶ユニット（６）又は中継ユニット（５）にデータ送信中に使用されてもよい。使用される無線通信インターフェース（４）の各々において、同一又は異なる無線通信規格が利用されてもよい。
【００１４】
少なくとも１つの無線通信インターフェース（４）が中継ユニット（５）に存在する。これらの無線通信インターフェース（４）は、独自の標準を用いて形成されるのと同様に、（例えば、ＷｉＦｉ、Ｗｉｍａｘ、Ｂｌｕｅｔｏｏｔｈ（登録商標）、Ｚｉｇｂｅｅ、２Ｇ、ＥＤＧＥ、３Ｇ、ＨＳＰＡ、４Ｇなどの）既に存在する標準を用いて形成されることが可能である。１つ又は複数の無線通信インターフェース（４）は、ソースユニット（２）から受信し、中継ユニット（５）から記憶ユニット（６）にデータを送信しているときに使用される。使用される無線通信インターフェース（４）の各々において、同一又は異なる無線通信規格が利用されてもよい。この構造は、無線通信チャネルから送信されるデータがより高い伝送レートで送信されることを可能にする。同一の標準（８０２．１１ｎなど）が使用されていても、無線通信に使用可能な無線通信インターフェース（４）上のデータ伝送レートが互いに異なる可能性がある。例えば、空きチャネル又はハーフ・フル・チャネル（全体の半分を通信が占有するチャネル）を選択することはデータ伝送レートに影響する可能性がある。空きチャネルからのデータ伝送レートはより高いが、ハーフ・フル・チャネルからのデータ伝送レートが低下する可能性がある。さらに、異なる標準と適切な標準の選択を使用する（例えば、Ｚｉｇｂｅｅの代わりにＷｉＦｉを使用する）ことによってデータ伝送レートを向上させることができる。
【００１５】
ブロードキャストフェーズ（Ｂ）におけるソースユニット（２）、記憶ユニット（６）及び中継ユニット（５）間でのデータ通信と、中継フェーズ（Ｒ）における中継ユニット（５）と記憶ユニット（６）との間のデータ通信は無線通信インターフェース（４）を用いて実現される。
【００１６】
負荷分散データパッカー（３）は、ソース・ユニット（２）の内部に存在する。本発明のアプリケーションに存在する負荷分散データパッカー（３）は、システム情報（１０１）を用いてデータをデータパケットに分割して、上記データパケットを分配し、これは無線通信インターフェース（４）に形成される。ソースユニット（２）に存在する負荷分散データパッカー（３）は、ソースユニット（２）に存在するデータを、システム情報（１０１）を使用してデータパケットに分割する。システム情報（１０１）は、ＯＳＩ参照モデルの層に属する情報からなる。本発明の好ましい実施形態では、システム情報（１０１）は、ＯＳＩ参照モデルの、第１層（物理層）、第２層（データリンク層）、第３層（ネットワーク層）及び第７層を含む。異なる無線通信インターフェース（４）から送信されるデータのレートは、通信規格や通信チャネルによって異なる場合がある。選択された無線通信インターフェース（４）、チャネルのモデム構成及び伝送品質に従って異なるデータ伝送レートは、パケットごとに送信できるデータ量を変更する。パケットのサイズは、無線通信インターフェース（４）のパラメータ、チャネルの伝送品質及びデータ伝送レート、無線通信チャネル（４）における現在の負荷レベル（既にバッファに存在し、まだ送信されていないデータの量）に従って適応的に決定される。
【００１７】
形成されたデータパケットは、前に定義された成功基準に従って負荷分散データパッカー（３）を介して無線通信インターフェース（４）に分配される。
【００１８】
これらの成功基準については、以下のことが一例として挙げることができるが、これらの例に限定されるものではない。
−データ伝送中に最低電力を消費する；
−最大送信電力でデータを送信する；
−最も高い伝送レートでデータを伝送する；
−最大のセキュリティでデータを送信する；
−エネルギーを最小限に抑えてデータを送信する；
−最大チャネルダイバーシティオーダーを提供することによってデータを送信する；
−最低保証レートでデータを送信する；
−最小の待ち時間でデータを送信する；
−あるクォータ制限に従ってデータを送信する；
−最小限のエラーでデータを送信する；
−あらゆるインターフェースで異なるユーザデータを送信する；
−ソースユニット（２）の最大数のデータを送信する。
【００１９】
無線通信インターフェース（４）のパラメータは、負荷分散データパッカー（３）を用いて、またこれまでに定義された成功基準にも従って調整される。無線通信インターフェース（４）のパラメータによって意味することは、無線通信インターフェース（４）の構成パラメータである。（例えば、選択された標準（ＷｉＦｉ−８０２．１１ｎなど）、伝送チャネル（例えば２．４ＧＨｚ帯域の第３チャネル）、選択された帯域幅（例えば、２０ＭＨｚ）、送信電力（例えば１０ｄＢ）などのパラメータは無線通信インターフェース（４）のパラメータを形成する。一例として、本発明の実施形態において、成功基準として「データ伝送中に最低電力を消費する」ことが望ましくかつ伝送における総レイテンシが非常に重要ではないときに、例えば低消費電力の規格を有する通信インターフェース（４）であるＢｌｕｅｔｏｏｔｈ（登録商標）又はＺｉｇｂｅｅなどの低消費電力の規格を有する通信インターフェースが使用される。本発明の別の実施形態では、成功基準として「待ち時間が最も短いデータを送信する」ことが望ましいときに、例えば８０２．１１ａｃのような高いデータ伝送レートを提供する通信規格が無線通信インターフェース（４）で使用される。それに加えて、出力電力などの無線通信インターフェース（４）のパラメータは、データ伝送レートが最大になるように設定される。パケット情報及び必要なプレフィックスは、データパケットとともに、予め定義された１つ又は複数の成功基準に従って無線通信インターフェース（４）に配信される。このフェーズでは、記憶ユニット（６）及び中継ユニット（５）に送信すべきデータパケット、パケット情報及び必要なプレフィックスを、同一無線通信インターフェース（４）を介して送信することができる。これに伴い、記憶ユニット（６）及び中継ユニット（５）に送信すべきデータパケット、パケット情報及び必要プレフィックスの全てを、別個の無線通信インターフェース（４）を介して送信することができる。前記プレフィックスによってここで意味することは、データパケットがどのインターフェースでどの順序であるかの情報である。
【００２０】
（パケット情報及び必要なプレフィックスと共に）データパケットは、ブロードキャストフェーズ（Ｂ）で無線通信インターフェース（４）を介して、記憶ユニット（６）及び中継ユニット（５）に送信される。
【００２１】
（パケット情報及び必要なプレフィックスと共に）データパケットは、中継ユニット（５）の無線通信インターフェース（４）を介して中継ユニット（５）に送信される。中継ユニット（５）は、後に、データパケットを検出（アンパック）する。１つ又は複数のソースユニット（２）から取得された、検出された（アンパックされた）データが中継ユニット（５）に存在する可能性がある。
【００２２】
ネットワーク符号化ユニット（５．１）は、中継ユニット（５）の内部に存在する。システム効率の改善が必要な場合は、検出された（解凍された）データパケットは、ネットワークトポロジ情報（１０２）を用いて符号化され、ネットワーク符号化ユニット（５．１）でマージされる。システム効率の改善の必要がないときは、ネットワーク符号化が実現されず、中継技術がデータに適用される。中継ユニット（５）は、ネットワーク符号化を実現するか否かを決定する。
【００２３】
システムの効率を向上させるために、線形ネットワーク符号化又は複素フィールドネットワーク符号化をネットワーク符号化に使用することができる。ネットワークトポロジ情報（１０２）が存在しない場合、ランダムなネットワーク符号化を実現することができる。ネットワーク符号化ユニット（５．１）では、符号化係数を用いてアンパックされたデータが線形にマージされる。ネットワーク符号化ユニット（５．１）は、ネットワーク符号化係数を用いて、異なるパケットからアンパックされたデータに対して数学的演算を適用する。この演算は、ネットワーク符号化技術における有限フィールドの乗算と加算からなる。ネットワーク符号化情報も含むネットワーク符号化データは、中継ユニット（５）内の負荷分散データパッカー（３）に送信される。ネットワーク符号化情報によって意味することは、ネットワーク符号化がどの符号化技術によって実現されるかであり、符号化データを復号化するために符号化係数情報は必要である。
【００２４】
ネットワーク符号化が実現されない場合、中継ユニット（５）は、中継技術を適用した後、復号化したデータを中継ユニット（５）内の負荷分散データパッカー（３）に送信する。「増幅して転送する」、「デコードして転送する」技術は、中継技術の例として挙げることができるが、これらの例に限定されるものではない。中継技術では、中継ユニット（５）は、データパケットの振幅を増加させるか、又はそれらをデコードして転送する。
【００２５】
ネットワーク符号化を実現するか否かを決定する際には、中継ユニット（５）はネットワークトポロジ情報（１０２）を再度使用する。ネットワークトポロジ情報（１０２）が存在しない場合、ランダムネットワーク符号化が実現される。
【００２６】
無線通信インターフェース（４）のパラメータ及び情報のための所定のしきい値レベルは、中継ユニット（５）に存在する。中継ユニット（５）は、前記しきい値を、無線通信インターフェース（４）の現在のパラメータ及び情報値と比較する。結果の値の平均がしきい値を下回る場合、「中継技術」が使用される。前記値が前記しきい値を上回る場合、「ネットワーク符号化技術」を用いて決定される。
【００２７】
ネットワークトポロジ情報（１０２）は、中継ユニット（５）からデータパケットが受信される中継ユニット（５）に存在する無線通信インターフェース（４）のパラメータと情報とからなる。無線通信インターフェース（４）のパラメータ及び情報については、以下の値を一例として挙げることができるが、これらの例に限定されるものではない。
−信号レベル；
−ノイズ比；
−チャネルの減衰とフェージング；
−ユーザー密度；
−チャネルにおける干渉量；
−物理層で可能な変調；
−エラー制御符号化セット；
−最大及び最小許容送信電力；
−受信機感度。
【００２８】
各無線通信インターフェース（４）のネットワークトポロジ情報（１０２）は、中継ユニット（５）で個別に取得される。中継ユニット（５）が、ネットワークトポロジ情報（１０２）に従ってシステムの効率を改善しなければならないと決定した場合、ネットワーク符号化を実現するために、アンパックされたデータをネットワーク符号化ユニット（５．１）に送信する。中継ユニット（５）が、ネットワークトポロジ情報（１０２）に従ってシステムの効率を改善する必要がないと決定した場合、データ中継技術を適用した後、中継ユニット（５）に存在する負荷分散データパッカー（３）にアンパックされたデータを送信する。
【００２９】
中継技術又はネットワーク符号化技術が適用されるデータは、中継ユニット（５）内の負荷分散データパッカー（３）に送信される。このデータは、システム情報（１０１）に従って負荷分散データパッカー（３）でパケットに分割され、それらは、前に定義された成功基準に従って中継ユニット（５）内にある無線通信インターフェース（４）に配信される。前記データパケットは、第２のフェーズである中継フェーズ（Ｒ）において、無線通信インターフェース（４）を介して記憶ユニット（６）に送信される。
【００３０】
無線通信及びデータ記憶方法（１）には複数の記憶ユニット（６）が存在する。記憶ユニット（６）は、互いに独立した位置に分散して存在することができる。ブロードキャストフェーズ（Ｂ）及び中継フェーズ（Ｒ）の間に送信されるデータパケットは、記憶ユニット（６）に存在する無線通信インターフェース（４）を介して受信される。記憶ユニット（６）にはネットワーク復号化ユニット（６．１）が存在する。ネットワーク復号化ユニット（６．１）は、両方のフェーズから到来するデータを復号化する。その後、復号化されたデータは、記憶ユニット（６）においてマージされる。マージされたデータは、データ分離情報とともにデータ記憶ユニット（６．２）に記憶される。マージプロセスは、複数の尤度値に従って実現することができる。ソースユニット（２）と中継ユニット（５）の両方でデータパケットの送信のために複数のインターフェースを使用できることにより、記憶ユニット（６）は、異なるソースユニット（２）に記憶されるべきデータ（１００）を記憶し、記憶されるべきデータの同一部分又は異なる部分をマージする。これにより、データ伝送におけるエラー性能を改善することができる。本発明の適用例における無線通信及びデータ記憶方法（１）において、安全な通信を提供するために、送信されたデータを記憶ユニット（６）内で暗号化することができる。
【００３１】
図面に示される構成要素は、個々に番号が付けられ、これらの数字の対応は以下のように与えられる。
【符号の説明】
【００３２】
１  無線通信及びデータ記憶方法
２  ソースユニット
３  負荷分散データパッカー
４  無線通信インターフェース
５  中継ユニット
５．１  ネットワーク符号化ユニット
６  記憶ユニット
６．１  ネットワーク復号化器ユニット
６．２  データ記憶ユニット
１００  記憶するデータ
１０１  システム情報
１０２  ネットワークトポロジ情報
Ｂ  ブロードキャストフェーズ
Ｒ  中継フェーズ
【図１】
0006450054.tif 000002
【図２】
0006450054.tif 000003
【図３】
0006450054.tif 000004
【図４】
0006450054.tif 000005